(57)【要約】  本発明の実施例によるディスプレイ装置は、ディスプレイパネル、電力伝達ネットワーク、イメージコントローラー、及びＰＤＮコントローラーを含むことができる。ディスプレイパネルは、複数のサブパネルを含むことができる。電力伝達ネットワークは、制御信号によって制御され、複数のサブパネルのそれぞれに制御信号によって定められた電圧を伝達し、制御信号を決定するための状態情報を生成することができる。イメージコントローラーは、フレームイメージデータが入力されて貯蔵し、ウィンドウサイズによって統合するフレーム数を決定し、決定された数のフレームのフレームイメージデータを１つのイメージに統合して、統合イメージデータを生成することができる。ＰＤＮコントローラーは、状態情報と統合イメージデータに基づいて制御信号とサイズ調節信号を生成し、生成された制御信号を電力伝達ネットワークに提供し、生成されたウィンドウ調節信号をイメージコントローラーに提供することができる。サイズ調節信号は、ウィンドウサイズを調節することができる。
2019510249.tif 000002
【特許請求の範囲】
【請求項１】
複数のサブパネルを含むディスプレイパネルと、
制御信号によって制御され、前記複数のサブパネルのそれぞれに前記制御信号によって定められた電圧を伝達し、前記制御信号を決定するための状態情報を生成する電力伝達ネットワークと、
フレームイメージデータが入力されて貯蔵し、ウィンドウサイズによって統合するフレーム数を決定し、前記決定された数のフレームのフレームイメージデータを１つのイメージに統合して、統合イメージデータを生成するイメージコントローラーと、
前記状態情報と前記統合イメージデータに基づいて前記制御信号とサイズ調節信号を生成し、生成された前記制御信号を前記電力伝達ネットワークに提供し、前記生成されたサイズ調節信号を、前記イメージコントローラーに提供するＰＤＮ（ＰｏｗｅｒＤｅｌｉｖｅｒｙ Ｎｅｔｗｏｒｋ）コントローラーと、を含み、
前記サイズ調節信号は、前記ウィンドウサイズを調節する信号である、ディスプレイ装置。
【請求項２】
前記電力伝達ネットワークは、
コンバーター制御信号により決定される第１の電圧を生成する第１のＤＣ−ＤＣコンバーターと、
前記コンバーター制御信号により決定される第２の電圧を生成する第２のＤＣ−ＤＣコンバーターと、
スイッチ制御信号により第１及び第２のＤＣ−ＤＣコンバーターと前記複数のサブパネルを連結するスイッチネットワークと、を含み、
前記制御信号は、前記コンバーター制御信号と前記スイッチ制御信号を含む、請求項１に記載のディスプレイ装置。
【請求項３】
前記スイッチネットワークは、
前記第１のＤＣ−ＤＣコンバーターと前記複数のサブパネルをそれぞれ連結し、前記第２のＤＣ−ＤＣコンバーターと前記複数のサブパネルのそれぞれを連結するための複数のスイッチと、を含む、請求項２に記載のディスプレイ装置。
【請求項４】
前記電力伝達ネットワークは、
前記第１及び第２のＤＣ―ＤＣコンバーターの許容電流量、電圧ドループ（ＶｏｌｔａｇｅＤｒｏｏｐ）があるか否かの可否を含む情報をモニタリングして、コンバーターモニタリング情報を生成するコンバーターモニターと、
前記複数のスイッチのそれぞれに連結された前記第１及び第２のＤＣ−ＤＣコンバーターと、前記サブパネルの情報、前記複数のスイッチのそれぞれの許容電流量を含む情報をモニタリングして、スイッチモニタリング情報を生成するスイッチモニターと、をさらに含み、
前記状態情報は、前記コンバーターモニタリング情報及び前記スイッチモニタリング情報を含む、請求項３に記載のディスプレイ装置。
【請求項５】
前記ＰＤＮコントローラーは、
前記統合イメージデータに基づいて、前記複数のサブパネルのそれぞれに提供される電圧の情報を含むＤＶＳ情報を生成するＤＶＳコントローラーと、
前記ＤＶＳ情報と前記状態情報に基づいて、前記第１及び第２の電圧レベル情報を含むコンバーター電圧情報と前記スイッチネットワークによって連結される第１及び第２のＤＣ−ＤＣコンバーターと複数のサブパネルの情報を含むスイッチ連結情報を生成する電力コントローラーと、
前記コンバーター電圧情報に基づいて、前記第１及び第２の電圧レベルを決定する前記コンバーター制御信号を生成するコンバーターコントローラーと、
前記スイッチ連結情報に基づいて、前記スイッチネットワークの連結を制御するための前記スイッチ制御信号を生成するスイッチネットワークコントローラーと、を含む、請求項２に記載のディスプレイ装置。
【請求項６】
前記イメージコントローラーは、
前記フレームイメージデータが入力されて貯蔵するイメージバッファーと、
前記イメージバッファーに貯蔵された上記フレームイメージデータを分析して、分析情報を生成するイメージ分析器と、
前記分析情報を貯蔵するメモリーと、
前記分析情報と前記サイズ調節信号に基づいて前記ウィンドウサイズを決定するウィンドウサイズコントローラーと、
前記ウィンドウサイズ及び前記メモリに貯蔵された前記分析情報に基づいて、前記決定された数のフレームのフレームイメージデータを１つのイメージに統合して、前記統合イメージデータを生成するデータ生成器と、を含む、請求項１に記載のディスプレイ装置。
【請求項７】
前記分析情報は、前記イメージバッファーに貯蔵された前記フレームイメージデータ間に同じ部分があるか否かの情報を含む、請求項６に記載のディスプレイ装置。
【請求項８】
前記電力伝達ネットワークは、
コンバーター制御信号により決定される電圧を生成する第１のグループの複数のＤＣ−ＤＣコンバーターと、
前記コンバーター制御信号により決定される電圧を生成する第２のグループの複数のＤＣ―ＤＣコンバーターと、
スイッチ制御信号により前記第１及び第２のグループの複数のＤＣ−ＤＣコンバーターと、前記複数のサブパネルを連結するスイッチネットワークと、を含み、
前記制御信号は、前記コンバーター制御信号と前記スイッチ制御信号と、を含む、請求項１に記載のディスプレイ装置。
【請求項９】
前記複数のサブパネルは、第１及び第２のグループの複数のサブパネルを含み、前記スイッチネットワークは、第１及び第２のグループのスイッチネットワークを含み、
前記第１のグループのスイッチネットワークは、前記第１のグループの複数のＤＣ−ＤＣコンバーターのそれぞれを前記第１のグループのサブパネルのそれぞれと連結し、前記第２のグループのスイッチネットワークは、前記第２のグループの複数のＤＣ−ＤＣコンバーターのそれぞれを前記第２のグループのサブパネルのそれぞれと連結する、請求項８に記載のディスプレイ装置。
【請求項１０】
前記第１のグループの複数のＤＣ−ＤＣコンバーターの数は、前記複数のサブパネルの数より少なく、前記第２のグループの複数のＤＣ−ＤＣコンバーターの数は、前記の複数のサブパネルの数より少ない、請求項９に記載のディスプレー装置。
【請求項１１】
前記ディスプレイパネルは、ＯＬＥＤディスプレイパネルである、請求項１に記載のディスプレイ装置。
【請求項１２】
複数のサブパネルを含むディスプレイパネル、スイッチネットワークと複数のＤＣ−ＤＣコンバーターを含む電力伝達ネットワーク、イメージコントローラー、及びＰＤＮコントローラーを含むディスプレイ装置を用いたディスプレイ電力管理方法において、
前記ＰＤＮコントローラーによって、既存のウィンドウサイズと既存の前記電力伝達ネットワークの状態情報に基づいて、次のウィンドウを構成するフレームに対する前記電力伝達ネットワークの再構成情報を生成する再構成情報生成ステップと、
前記ＰＤＮコントローラーによって、前記生成された再構成情報に基づいて、前記ウィンドウサイズを更新するか否か、及び前記再構成情報生成ステップを再実行するか否かを判断する更新及び再実行の可否の判断ステップと、
前記イメージコントローラー及び前記ＰＤＮコントローラーによって、前記更新及び再実行するか否かの判断ステップの結果により、前記ウィンドウサイズを更新し、前記再構成情報生成ステップを再実行する更新及び再実行ステップと、
前記電力伝達ネットワークによって、前記生成された再構成情報に基づいて、前記電力伝達ネットワークを再構成するステップと、を含む、電力管理方法。
【請求項１３】
前記スイッチネットワークは、前記複数のＤＣ−ＤＣコンバーターと、前記複数のサブパネルのそれぞれを連結するための複数のスイッチと、を含む、請求項１２に記載の電力管理方法。
【請求項１４】
前記再構成情報生成ステップは、
前記複数のＤＣ−ＤＣコンバーターの供給電圧を変更し、前記複数のＤＣ−ＤＣコンバーターと前記複数のサブパネルを再グループ化する再グループ化ステップと、
前記複数のスイッチのそれぞれに流れる電流量を予測し、前記電流量が前記スイッチの許容電流量の範囲内であるかを判断するスイッチ電流量の判断ステップと、
前記スイッチネットワークの再構成時間を予測し、前記再構成時間が前記複数のスイッチのそれぞれのターンオン又はオフ時間より長いかどうかを判断するスイッチ再構成時間の判断ステップと、
前記複数のサブパネルに歪み現象がないかを判断する歪みの可否の判断ステップと、
前記複数のＤＣ−ＤＣコンバーターのそれぞれに電圧ドループがないかを判断するドループの可否の判断ステップと、
前記複数のＤＣ−ＤＣコンバーターそれぞれの供給電流量を予測し、前記供給電流量が前記ＤＣ−ＤＣコンバーターの許容電流量の範囲内であるかを判断するコンバーター電流量の判断ステップと、
前記再グループ化ステップと、スイッチ電流量の判断ステップと、スイッチ再構成時間の判断ステップと、歪みの可否の判断ステップと、ドループの可否の判断ステップと、そしてコンバーター電流量の判断ステップによって定められた前記スイッチネットワークの再構成情報、及び前記複数のＤＣ−ＤＣコンバーターのそれぞれの供給電圧及び供給電流情報を生成する情報生成ステップと、を含み、
前記再グループ化ステップと、スイッチ電流量の判断ステップと、スイッチ再構成時間の判断ステップと、歪みの可否の判断ステップと、ドループの可否の判断ステップと、そしてコンバーター電流量の判断ステップのうち、少なくとも１つのステップを通過することができない場合、前記再グループ化ステップから再実行する、請求項１３に記載の電力管理方法。
【請求項１５】
前記更新及び再実行の可否の判断ステップと、前記更新及び再実行ステップは、前記再構成情報生成ステップの実行時間が基準時間を過ぎた場合に実行せず、
前記基準時間は、前記ディスプレイパネルによって既存のウィンドウに含まれるフレームが実行される時間の半分である、請求項１２に記載の電力管理方法。
【請求項１６】
前記更新及び再実行の可否の判断ステップは、
前記再構成情報生成ステップの実行時間が、第１の基準時間より短いか否かを判断するプロセッシング時間判断ステップと、
前記電力伝達ネットワークの再構成時間が第２の基準時間より短いか否かを判断する再構成時間の判断ステップと、
前記プロセッシング時間の判断ステップ及び前記再構成時間の判断ステップの結果により、サイズ調節信号を決定する決定ステップと、
前記再構成情報生成ステップと、前記更新及び再実行の可否の判断ステップの実行時間が、前記ディスプレイパネルによって既存のウィンドウに含まれるフレームが実行される時間より短いか否かを判断する、更新の可否の判断ステップと、
前記更新の可否の判断ステップの結果により、前記決定されたサイズ調節信号を前記イメージコントローラーに提供するステップと、を含み、
前記電力伝達ネットワークの再構成時間は、前記スイッチネットワークの再構成時間及び前記複数のＤＣ−ＤＣコンバーターの供給電圧の変更時間のうち、長い時間である、請求項１２に記載の電力管理方法。
【請求項１７】
前記第１の基準時間は、既存のウィンドウに対する前記再構成情報生成ステップの実行時間である、請求項１６に記載の電力管理方法。
【請求項１８】
前記第２の基準時間は、既存のウィンドウに対する前記電力伝達ネットワークの再構成時間である、請求項１６に記載の電力管理方法。
【請求項１９】
前記更新及び再実行ステップは、前記更新及び再実行ステップの実行の途中で、前記ディスプレイパネルによって既存のウィンドウに含まれるフレームが実行される時間が過ぎた場合に中断される、請求項１２に記載の電力管理方法。
【請求項２０】
前記ディスプレイパネルは、ＯＬＥＤディスプレイパネルである、請求項１２に記載の電力管理方法。
【発明の詳細な説明】
【技術分野】
【０００１】
本発明は、ディスプレイ装置に関し、より詳細にはＰＤＮコントローラーを含むディスプレイ装置、及びそれを用いたディスプレイ電力管理方法に関する。
【背景技術】
【０００２】
ＯＬＥＤ（Ｏｒｇａｎｉｃ ＬｉｇｈｔＥｍｉｔｔｉｎｇ Ｄｉｏｄｅｓ）ディスプレイは、次世代の有望なディスプレイ装置中の１つである。ＯＬＥＤディスプレイは、ディスプレイ市場で着実に成長している。ＯＬＥＤディスプレイは、スマートフォンのようなモバイル機器やＴＶの電子機器に搭載されている。
【０００３】
一方、ＯＬＥＤディスプレイは、パネル（Ｐａｎｅｌ）の大きさが大きくなるほどＯＬＥＤディスプレイの消費電力は増加する。モバイル機器は、このような消費電力に敏感である。なお、ＴＶのような電子機器は、大型化したディスプレイパネルを搭載しながら消費電力の大きさが増加している。これにより、ＯＬＥＤディスプレイの消費電力は、ＯＬＥＤディスプレイシステムの量産において重要なに問題になっている。従って、低電力のＯＬＥＤディスプレイシステムを開発するための様々な方面の技術が模索されている。
【発明の概要】
【発明が解決しようとする課題】
【０００４】
本発明の目的は、再構成可能な電力伝達ネットワーク（ＰｏｗｅｒＤｅｌｉｖｅｒｙ Ｎｅｔｗｏｒｋ）を制御するためのＰＤＮコントローラーを含むディスプレイ装置を提供し、これを用いたディスプレイ電力管理方法を提供することにある。
【課題を解決するための手段】
【０００５】
本発明の実施例によるディスプレイ装置は、ディスプレイパネル、電力伝達ネットワーク、イメージコントローラー、及びＰＤＮコントローラーを含むことができる。ディスプレイパネルは、複数のサブパネルを含むことができる。電力伝達ネットワークは制御信号によって制御され、複数のサブパネルのそれぞれに制御信号によって定められた電圧を伝達し、制御信号を決定するための状態情報を生成することができる。イメージコントローラーは、フレームイメージデータが入力されて貯蔵し、ウィンドウサイズによって統合するフレーム数を決定し、決定された数のフレームのフレームイメージデータを１つのイメージに統合して統合イメージデータを生成することができる。ＰＤＮコントローラーは、状態情報と統合イメージデータに基づいて制御信号とサイズ調節信号を生成し、生成された制御信号を電力伝達ネットワークに提供し、生成されたウィンドウ調節信号をイメージコントローラーに提供することができる。サイズ調節信号は、ウィンドウサイズを調節することができる。
【０００６】
本発明の実施例による複数のサブパネルを含むディスプレイパネル、スイッチネットワークと、複数のＤＣ−ＤＣコンバーターを含む電力伝達ネットワーク、イメージコントローラー、及びＰＤＮコントローラーを含むディスプレイ装置を用いたディスプレイ電力管理方法は、再構成情報生成ステップ、更新及び再実行するか否かの判断ステップ、更新及び再実行するステップ、及び電力伝達ネットワークを再構成するステップを含むことができる。再構成情報生成ステップはＰＤＮコントローラーによって、既存のウィンドウサイズと既存の電力伝達ネットワークの状態情報に基づいて、次のウィンドウを構成するフレームに対する電力伝達ネットワークの再構成情報を生成することができる。更新及び再実行するか否かの判断ステップは、ＰＤＮコントローラによって、生成された再構成情報に基づいてウィンドウサイズを更新するか否か及び再構成情報生成ステップを再実行するかどうかを判断することができる。更新及び再実行ステップは、イメージコントローラー及びＰＤＮコントローラーによって、更新及び再実行するか否かの判断ステップの結果により、ウィンドウサイズを更新し、再構成情報生成ステップを再実行することができる。電力伝達ネットワークを再構成するステップは、電力伝達ネットワークによって、生成された再構成情報に基づいて電力伝達ネットワークを再構成することができる。
【発明の効果】
【０００７】
本発明の実施例によれば、ディスプレイ装置及びディスプレイ電力管理方法は、サブパネルの数より少ない数のコンバーターを使用して生産費用を節減し、電力消耗を低減することができる。なお、ディスプレイ装置及びディスプレイ電力管理方法は、コンバーターの動作効率を向上させることができる。
【図面の簡単な説明】
【０００８】
本発明の実施例は、制限的な方法としてではなく、例として示されており、添付図面で類似した参照番号は類似した要素を参照する。
【０００９】
【図１】本発明の実施例によるディスプレイ装置を示すブロック図である。
【図２】図１に示されたディスプレイ装置の動作を示す順序図である。
【図３】図１に示されたディスプレイ装置の動作タイミングを説明するための概念図である。
【図４】図１に示されたディスプレイパネルを例示的に示す図面である。
【図５】図１に示された電力伝達ネットワークを例示的に示すブロック図である。
【図６】図５に示された第１のスイッチ部を例示的に示す回路図である。
【図７】図１に示されたＰＤＮコントローラーを例示的に示すブロック図である。
【図８】図２に示されたステップＳ１００を詳細に示す順序図である。
【図９】図２に示されたステップＳ３００を詳細に示す順序図である。
【図１０】図１に示されたイメージコントローラーを例示的に示すブロック図である。
【図１１】本発明の他の実施例によるディスプレイ装置を示すブロック図である。
【図１２】本発明の他の実施例によるディスプレイ装置を示すブロック図である。
【発明を実施するための形態】
【００１０】
前述した一般的な説明及び次の詳細な説明が全部例示的であることが理解されるべきであり、請求された発明の付加的な説明が提供されるものと考えなければならない。参照符号が本発明の好ましい実施例に詳細に示されており、それの例が参照図面に示されている。可能な、どのような場合にも、同一の参照番号が同一または類似した部分を参照するために説明および図面に使用される。
【００１１】
以下では、ディスプレイ装置が、本発明の特徴及び機能を説明するための例として使用される。しかし、この技術の分野において精通した人は、ここに記載された内容によって本発明の他の利点及び性能が容易に理解できるはずである。本発明は、他の実施例を通して具現されるか、適用されうるかであろう。しかも、詳細な説明は、本発明の範囲、技術的思想、そして他の目的から相当に逸脱せず、観点及び応用によって修正されたり、変更されたりすることができる。
【００１２】
図１は、本発明の実施例によるディスプレイ装置を示すブロック図である。図１を参照すれば、ディスプレイ装置１０００は、ディスプレイパネル１１００、電力伝達ネットワーク１２００（ＰＤＮ：Ｐｏｗｅｒ Ｄｅｌｉｖｅｒｙ Ｎｅｔｗｏｒｋ）、ＰＤＮコントローラー１３００、イメージコントローラー１４００を含むことができる。
【００１３】
ディスプレイパネル１１００は、複数のサブパネル１１１０〜１１４０を含むことができる。複数のサブパネル１１１０〜１１４０のそれぞれは、電力伝達ネットワーク１２００から供給電圧Ｖ１〜Ｖ４が提供される。サブパネル１１１０〜１１４０の数は、図１に示されたものに限定されない。これは図１１を参照して説明されるはずである。例えば、ディスプレイパネル１１００は、ＯＬＥＤ（Ｏｒｇａｎｉｃ Ｌｉｇｈｔ ＥｍｉｔｔｉｎｇＤｉｏｄｅｓ）ディスプレイパネルであり得る。
【００１４】
ディスプレイパネル１１００を複数のサブパネル１１１０〜１１４０に区分する理由は、ディスプレイパネル１１００の消費電力を減少するためである。ディスプレイパネル１１００は、複数のピクセル（Ｐｉｘｅｌ）を含むことができる。複数のピクセルは、提供される電流量を調節して明るさを調節する。従って、ピクセルに提供される電流量は流動的である。一方、ピクセルに提供される電圧は固定された値である。例えば、この電圧値は１５Ｖであり得る。固定された電圧値は、少なくとも１つのピクセルが最も明るく光る場合（最も高い電流量を提供する場合）のために設定される。
【００１５】
但し、１つのフレームがディスプレイされる場合、残りのピクセルは、光の明るさを最大値に要求しない場合が殆どである。つまり、残りのピクセルは、最大電圧値より低い電圧が提供されても、要求する電流量が提供されることができる。提供される電圧のレベルが低くなると、ディスプレイパネル１１００の消費電力を下げることができる。図１のディスプレイパネル１１００は、複数のサブパネル１１１０〜１１４０で構成される。それぞれのサブパネル１１１０〜１１４０は、区分される供給電圧Ｖ１〜Ｖ４が提供される。よって、複数のサブパネル１１１０〜１１４０を含むディスプレイパネル１１００は、１つの電圧でディスプレイパネル１１００を駆動する場合より電力消耗を低減できる。
【００１６】
電力伝達ネットワーク１２００は、第１及び第２のコンバータ１２１０，１２２０と、スイッチネットワーク１２３０を含むことができる。電力伝達ネットワーク１２００は、ディスプレイパネル１１００と連結されて供給電圧Ｖ１〜Ｖ４を提供する。電力伝達ネットワーク１２００は、ＰＤＮコントローラー１３００と連結される。電力伝達ネットワーク１２００は、ＰＤＮコントローラー１３００にコンバーターモニタリング信号ＭＯＮ＿Ｃとスイッチモニタリング信号ＭＯＮ＿Ｓを提供する。なお、電力伝達ネットワーク１２００は、ＰＤＮコントローラー１３００からコンバーター制御信号ＣＴＬ＿Ｃ及びスイッチ制御信号ＣＴＬ＿Ｓが提供されて、第１及び第２のコンバーター１２１０、１２２０の電圧とスイッチネットワーク１２３０の連結を再構成する。
【００１７】
第１及び第２のコンバーター１２１０、１２２０は、それぞれ２つ以上の複数のサブパネル１１１０〜１１４０に電圧を供給することができる。第１及び第２のコンバーター１２１０、１２２０の数は、複数のサブパネル１１１０〜１１４０より少ない数として構成されることができ、図１に示されたものに限定されない。これは、図１１を参照して説明されるであろう。例えば、第１及び第２のコンバーター１２１０、１２２０はＤＣ−ＤＣコンバーターであり得る。一般にＤＣ−ＤＣコンバーターは、駆動電流量が多くなるほど動作効率が増加する。本発明の実施例によって、１つのＤＣ−ＤＣコンバーターが複数のサブパネル１１１０〜１１４０に電圧及び電流を供給する場合、ＤＣ−ＤＣコンバーターの動作効率が増加することができる。
【００１８】
スイッチネットワーク１２３０は、第１及び第２のコンバーター１２１０、１２２０と複数のサブパネル１１１０〜１１４０を連結する。スイッチネットワーク１２３０の詳細な構成及び動作は、図５及び図６を参照して説明されるであろう。
【００１９】
ＰＤＮコントローラー１３００は、電力伝達ネットワーク１２００及びイメージコントローラー１４００と連結される。ＰＤＮコントローラー１３００は、電力伝達ネットワーク１２００からコンバーターモニタリング信号ＭＯＮ＿Ｃとスイッチモニタリング信号ＭＯＮ＿Ｓが提供される。ＰＤＮコントローラー１３００は、イメージコントローラー１４００から統合イメージデータＤＡＴ＿Ｕが提供される。ＰＤＮコントローラー１３００は、提供される情報ＭＯＮ＿Ｃ，ＭＯＮ＿Ｓ，ＤＡＴ＿Ｕを基に電力伝達ネットワーク１２００の再構成情報とサイズ調節信号ＵＰＤＮを生成する。再構成情報は、コンバーター制御信号ＣＴＬ＿Ｃとスイッチ制御信号ＣＴＬ＿Ｓを含むことができる。上述した信号ＣＴＬ＿Ｃ，ＣＴＬ＿Ｓ，ＭＯＮ＿Ｃ，ＭＯＮ＿Ｓ，ＤＡＴ＿Ｕ，ＵＰＤＮは、図２を参照して説明する。
【００２０】
イメージコントローラー１４００は、ＰＤＮコントローラー１３００と連結される。イメージコントローラー１４００は、フレームイメージデータＤＡＴ＿Ｉが提供される。イメージコントローラー１４００は、ウィンドウサイズによって決定されるフレームのフレームイメージデータを１つのイメージに統合して、統合イメージデータＤＡＴ＿Ｕを生成する。イメージコントローラー１４００は、ＰＤＮコントローラー１３００からサイズ調節信号ＵＰＤＮが提供されてウィンドウサイズを調節する。フレームイメージデータＤＡＴ＿Ｉは、１つのフレームに対するイメージデータである。フレーム（Ｆｒａｍｅ）は、画面にディスプレイされる停止映像の一画面である。つまり、動画は、複数のフレームで構成される。本出願において、ウィンドウサイズは、ＰＤＮコントローラー１３００によってプロセッシングされるフレーム数として定義される。言い換えれば、ウィンドウサイズは、再構成情報を生成するのに利用されるフレームの数である。
【００２１】
図１においては、ディスプレイパネル１１００に電圧及び電流を供給するディスプレイ装置１０００の構成のみ示された。示されていなかったが、ディスプレイパネルによってディスプレイされるイメージデータを提供するためのＤＤＩ（Ｄｉｓｐｌａｙ ＤｒｉｖｅｒＩＣ）などの構成が追加に含まれることができる。
【００２２】
図２は、図１に示されたディスプレイ装置の動作を示す順序図である。図２の順序図は、図１を参照して説明される。図２を参照すれば、ディスプレイ装置１０００は、ディスプレイパネル１１００の電力消耗を減少させるための電力伝達ネットワーク１２００の再構成情報を生成することができる。
【００２３】
ステップＳ１００において、ＰＤＮコントローラー１３００は、既存に定められたウィンドウに対する電力伝達ネットワーク１２００の再構成情報を生成する。ステップＳ１００の実行時間は、後述する図３の時間区間Ｃと対応する。詳細な動作は、図７及び図８を参照して説明されるであろう。
【００２４】
ステップＳ２００において、ステップＳ１００の実行時間が、第１の基準時間より短いか否かを判断する。理由は次のようである。ディスプレイ装置１０００は、以後のステップでステップＳ１００を再実行するか否かを判断する。但し、既にステップＳ１００の実行時間が一定時間を超える場合、ステップＳ１００を再実行する時間が不足になる。よって、ステップＳ１００の実行時間が一定の時間を過ぎる場合、ステップＳ１００を再実行するか否かを判断しない。例えば、第１の基準時間は、以前のプロセスによって決定されたウィンドウが、現在ディスプレイされる時間の半分の時間であり得る。これは、図３において後述する時間区間Ａの半分に対応する。
【００２５】
ステップＳ１００の実行時間が第１の基準時間より長い場合（Ｎｏ方向）、電力伝達ネットワーク１２００は、ステップＳ１００で生成された再構成情報によって再構成される（Ｓ４００）。一方、ステップＳ１００の実行時間が第１の基準時間より短い場合（Ｙｅｓ方向）、ＰＤＮコントローラー１３００の手順は、ステップＳ３００に進行する。
【００２６】
ステップＳ３００において、ＰＤＮコントローラー１３００は、ウィンドウサイズの更新及びステップＳ１００を再実行するか否かを判断する。ＰＤＮコントローラー１３００は、既存のウィンドウサイズに含まれたフレームのフレームイメージデータを加工する時、処理されるデータ量及びステップＳ３００の実行時間を考慮してステップＳ１００を再実行するか否かを判断する。更新及び再実行をする場合（Ｙｅｓ方向）、ＰＤＮコントローラー１３００は、更新されたウィンドウサイズに対してステップＳ１００を再実行する（Ｓ１００）。更新及び再実行をしない場合（Ｎｏ方向）、手順はＳ４００に進行する。詳細な動作は、図７及び図９を参照して説明される。上述したステップＳ１００〜Ｓ３００によって次のウィンドウに対する再構成情報が生成される。再構成情報は、ディスプレイパネル１１００の電力消耗を減少させるための電力伝達ネットワーク１２００の再構成情報である。
【００２７】
ステップＳ４００において、電力伝達ネットワーク１２００は再構成情報が提供されて再構成される。電力伝達ネットワーク１２００は、再構成情報に基づいて第１及び第２のコンバーター１２１０、１２２０の電圧を生成する。以後、スイッチネットワーク１２３０は、再構成情報に基づいて第１及び第２のコンバーター１２１０、１２２０と複数のサブパネル１１１０〜１１４０を連結する。結果的に、電力伝達ネットワーク１２００は、複数のサブパネル１１１０〜１１４０のそれぞれに供給電圧Ｖ１〜Ｖ４を提供する。以後、ディスプレイパネル１１００は提供された電圧によって動作し、次のウィンドウに含まれたフレームをディスプレイする。
【００２８】
図３は、図１に示されたディスプレイ装置の動作タイミングを説明するための概念図である。図３の概念図は、図１及び図２を参照して説明されるであろう。
【００２９】
ｔ０〜ｔ４ 区間において、ディスプレイパネル１１００は、以前のウィンドウに含まれたフレームをディスプレイする。時間区間Ａは、ｔ０〜ｔ４区間で定義される。つまり、以前のプロセスによって決定されたウィンドウが現在ディスプレイされる時間である。
【００３０】
ｔ０〜ｔ１区間において、電力伝達ネットワーク１２００は、以前のウィンドウに含まれたフレームに対し、電力伝達ネットワーク１２００を再構成する。時間区間Ｂは、電力伝達ネットワーク１００の再構成にかかる時間として定義される。即ち、時間区間Ｂは、時間区間Ａでディスプレイされるフレームに対する電力伝達ネットワーク１２００の再構成時間である。よって、時間区間Ｂは、第１及び第２のコンバーター１２１０、１２２０の供給電圧変更時間とスイッチネットワーク１２３０の再構成時間との中、長い時間によって定められる。これは、図２のステップＳ４００の実行時間に対応される。
【００３１】
ｔ０〜ｔ２区間において、ＰＤＮコントローラー１３００は、次のウィンドウに対する再構成情報を生成する。時間区間Ｃは、ｔ０〜ｔ２区間として定義される。これは、図２の再構成情報生成ステップＳ１００の実行時間に対応される。ｔ２〜ｔ３区間において、ＰＤＮコントローラー１３００は、ウィンドウサイズを更新するか否か、及び再構成情報生成ステップＳ１００を再実行するか否かを判断する。時間区間Ｄは、ｔ２〜ｔ３区間として定義される。これは、図２のウィンドウサイズ更新及びステップＳ１００を再実行するか否か判断するステップＳ３００の実行時間に対応される。ｔ４〜ｔ８区間において、上述した時間区間Ａ〜Ｄが繰り返されるため、これに対する説明は省略する。但し、この場合に時間区間Ｂは、時間区間Ｃより長いであり得る。
【００３２】
図４は、図１に示されたディスプレイパネルを例示的に示す図面である。図４を参照すれば、ディスプレイパネル１００は、多様な形態のサブパネル１１１０〜１１４０で構成されることができる。例えば、ディスプレイパネル１１００ａは、横方向に区分されたサブパネル１１１０〜１１４０で構成されることができる。或いは、ディスプレイパネル１１００ｂは、碁盤状で区分された複数のサブパネル１１１０〜１１４０で構成されることができる。但し、図４は、ディスプレイパネル１１００の構成の例示であり、ディスプレイパネル１１００の構成は、これに限定されるものではない。
【００３３】
図５は、図１に示された電力伝達ネットワークを例示的に示すブロック図である。電力伝達ネットワーク１２００の構成及び動作は、図１を参照して説明されるであろう。図５を参照すれば、電力伝達ネットワーク１２００は、第１及び第２のコンバーター１２１０、１２００、スイッチネットワーク１２３０、コンバーターモニター１２４０、及びスイッチモニター１２５０を含むことができる。電力伝達ネットワーク１２００は、ＰＤＮコントローラー１３００の制御によって再構成されて、ディスプレイパネル１１００に電圧を供給する。上述した第１及び第２のコンバーター１２１０、１２２０、スイッチネットワーク１２３０、コンバーターモニター１２４０、及びスイッチモニター１２５０は、ハードウェアで具現されることができる。
【００３４】
第１及び第２のコンバーター１２１０、１２２０は、第１ないし第４のスイッチ部１２３１〜１２３４と連結される。第１及び第２のコンバーター１２１０、１２２０は、ＰＤＮコントローラー１３００からコンバーター制御信号ＣＴＬ＿Ｃが提供されて、第１及び第２の電圧ＶＣ１, ＶＣ２を生成する。生成された第１及び第２の電圧ＶＣ１, ＶＣ２は、第１ないし第４のスイッチ部１２３１〜１２３４に提供される。第１及び第２のコンバーター１２１０、１２２０は、コンバーターモニター１２４０にコンバーター状態情報を提供する。例えば、コンバーター状態情報は、第１及び第２のコンバーター１２１０、１２２０の生成電圧レベル、供給電流量、許容供給電流量、第１ないし第４のスイッチ部１２３１〜１２３４のうち、連結されたスイッチ部の情報、電圧ドループ（Ｖｏｌｔａｇｅ Ｄｒｏｏｐ）の可否などを含むことができる。コンバーター状態情報は、実時間でコンバーターモニター１２４０に提供されることができる。電力伝達ネットワーク１２００は、コンバーター状態情報をモニタリングし、これをコンバーターモニター１２４０に提供するための電圧センサ、電流センサなどを含むことができる。
【００３５】
スイッチネットワーク１２３０は、第１ないし第４のスイッチ部１２３１〜１２３４を含むことができる。第１乃至第４のスイッチ部１２３１〜１２３４は、複数のサブパネル１１１０〜１１４０のそれぞれと連結される。第１ないし第４のスイッチ部１２３１〜１２３４は、ＰＤＮコントローラー１３００によって生成されたスイッチ制御信号ＣＴＬ＿Ｓによって制御される。第１ないし第４のスイッチ部１２３１〜１２３４は、スイッチ制御信号ＣＴＬ＿Ｓによって第１及び第２の電圧ＶＣ１、ＶＣ２の中、１つの電圧を複数のサブパネル１１１０〜１１４０のそれぞれに提供する。第１及び第２のコンバーター１２１０、１２２０の数が複数のサブパネル１１１０〜１１４０より少ない場合、第１及び第２のコンバーター１２１０、１２２０は、複数のサブパネル１１１０〜１１４０に同時に連結されることができる。即ち、供給電圧Ｖ１〜Ｖ４は、同一の電圧レベルを有することができる。例えば、第１ないし第４のスイッチ部１２３１〜１２３４の数は、複数のサブパネル１１１０〜１１４０と同じ数で構成されることができ、図１に示されたものに限定されない。第１のスイッチ部１２３１の構成は図６を参照して説明する。例えば、第２ないし第４のスイッチ部１２３２〜１２３４の構成は、第１のスイッチ部１２３１の構成と同一であり得る。
【００３６】
スイッチネットワーク１２３０は、スイッチモニター１２５０にスイッチ状態情報を提供する。例えば、スイッチ状態情報は、第１ないし第４のスイッチ部１２３１〜１２３４に流れる電流量、許容電流量、連結されたサブパネルの情報、第１ないし第４のスイッチ部１２３１〜１２３４それぞれのオンまたはオフ動作時間などを含むことができる。スイッチ状態情報は、実時間でスイッチモニター１２５０に提供されることができる。電力伝達ネットワーク１２００は、スイッチ状態情報をモニタリングし、これをスイッチモニター１２５０に提供するため、電圧センサ、電流センサなどを含むことができる。
【００３７】
コンバーターモニター１２４０は、第１及び第２のコンバーター１２１０、１２２０からコンバーター状態情報が提供されて、コンバーターモニタリング信号ＭＯＮ＿Ｃを生成する。コンバーターモニター１２４０は、生成したコンバーターモニタリング信号ＭＯＮ＿ＣをＰＤＮコントローラー１３００に提供する。スイッチモニター１２５０は、スイッチネットワーク１２３０からスイッチ状態情報が提供されてスイッチモニタリング信号ＭＯＮ＿Ｓを生成する。スイッチモニター１２５０は、生成したスイッチモニタリング信号ＭＯＮ＿ＳをＰＤＮコントローラー１３００に提供する。例えば、コンバーターモニター１２４０とスイッチモニター１２５０は、提供されたコンバーター及びスイッチ状態情報と、生成したコンバーター及びスイッチモニタリング信号ＭＯＮ＿Ｃ、ＭＯＮ＿Ｓを貯蔵するためのレジスタ、メモリなどを含むことができる。
【００３８】
図６は、図５に示された第１のスイッチ部を例示的に示す回路図である。図６を参照すれば、第１のスイッチ部１２３１は、第１ないし第４のスイッチ回路ＳＷ１〜ＳＷ４を含むことができる。第１及び第２のスイッチ回路ＳＷ１、ＳＷ２は、スイッチ制御信号ＣＴＬ＿Ｓによって同一のタイミングにターンオンまたはオフされる。第３及び第４のスイッチ回路ＳＷ３，ＳＷ４は、スイッチ制御信号ＣＴＬ＿Ｓによって同一のタイミングにターンオンまたはオフされる。第１及び第２のスイッチ回路ＳＷ１、ＳＷ２は、第３及び第４のスイッチ回路ＳＷ３、ＳＷ４と相補的なタイミングにターンオンまたはオフされる。即ち、第３及び第４のスイッチ回路ＳＷ３、ＳＷ４がターンオンである場合、第１及び第２のスイッチ回路ＳＷ１、ＳＷ２はターンオフされる。第１のスイッチ部１２３１は、このような動作によって第１の電圧ＶＣ１または第２の電圧ＶＣ２を複数のサブパネル１１１０〜１１４０に提供する。
【００３９】
図６は、第１のスイッチ部１２３１の構成の例示であり、第１のスイッチ部１２３１は、このような構成に限定されるものではない。即ち、第１のスイッチ部１２３１は、図６のような役割をする１つのブロックとして構成されることができる。例えば、第１のスイッチ部１２３１は、多重化器（Ｍｕｌｔｉｐｌｅｘｅｒ）として構成されることができる。上述したように、第２ないし第４のスイッチ部１２３２〜１２３４の構成は、第１のスイッチ部１２３１と同一であり得る。
【００４０】
図７は、図１に示されたＰＤＮコントローラーを例示的に示すブロック図である。図７は、図１を参照して説明される。図７を参照すれば、ＰＤＮコントローラー１３００は、ＤＶＳコントローラー１３１０、電力コントローラー１３２０、コンバーターコントローラー１３３０、及びスイッチネットワークコントローラー１３４０を含むことができる。点線で示された線は、以前のウィンドウに含まれたフレームに対する情報を意味する。実線で示された線は、次のウィンドウに含まれたフーレムに対する情報を意味する。ＰＤＮコントローラー１３００は、電力伝達ネットワーク１２００及びイメージコントローラー１４００を制御する。上述したＤＶＳコントローラー１３１０、電力コントローラー１３２０、コンバーターコントローラー１３３０、及びスイッチネットワークコントローラー１３４０は、ハードウェアで具現されることができる。
【００４１】
ＤＶＳコントローラー１３１０は、イメージコントローラ１４００から統合イメージデータＤＡＴ＿Ｄが提供されて、ＤＶＳ電圧情報Ｖ＿ＤＶＳを生成する。ＤＶＳ電圧情報Ｖ＿ＤＶＳは、次のウィンドウに含まれたフーレムに対する複数のサブパネル１１１０〜１１４０のそれぞれを構成するピクセルが、要求する最高電圧値によって決定される。即ち、ＤＶＳ電圧情報Ｖ＿ＤＶＳは、複数のサブパネル１１１０〜１１４０のそれぞれに提供される供給電圧Ｖ１〜Ｖ４の電圧レベルの情報を含む。ＤＶＳコントローラー１３１０は、生成されたＤＶＳ電圧情報Ｖ＿ＤＶＳが電力コントローラー１３２０に提供される。
【００４２】
電力コントローラー１３２０は、電力伝達ネットワーク１２００、ＤＶＳコントローラー１３１０、コンバーターコントローラー１３３０、スイッチネットワークコントローラー１３４０、及びイメージコントローラー１４００と連結される。電力コントローラー１３２０は、電力伝達ネットワーク１２００から以前のウィンドウに対する第１及び第２のコンバーター１２１０、１２２０とスイッチネットワーク１２３０のモニタリング信号ＭＯＮ＿Ｃ、ＭＯＮ＿Ｓが提供される。なお、電力コントローラー１３２０は、ＤＶＳコントローラー１３１０から次のウィンドウに対するＤＶＳ電圧情報Ｖ＿ＤＶＳが提供される。
【００４３】
電力コントローラー１３２０は、提供された情報ＭＯＮ＿Ｃ、ＭＯＮ＿Ｓ、Ｖ＿ＤＶＳに基づいて、次のウィンドウに対するコンバーター電圧情報ＤＡＴ＿Ｃ、スイッチ連結情報ＤＡＴ＿Ｓ、及びサイズ調節信号ＵＰＤＮを生成する。電力コントローラー１３２０は、生成されたコンバーター電圧情報ＤＡＴ＿Ｃとスイッチ連結情報ＤＡＴ＿Ｓをそれぞれコンバーターコントローラー１３３０とスイッチネットワークコントローラー１３４０に提供する。電力コントローラー１３２０は、生成されたサイズ調節信号ＵＰＤＮをイメージコントローラー１４００に提供して、イメージコントローラー１４００によって処理されるウィンドウサイズを調節する。電力コントローラー１３２０の動作は図８及び図９を参照して説明されるであろう。
【００４４】
コンバーターコントローラー１３００は、電力コントローラー１３２０からコンバーター電圧情報ＤＡＴ＿Ｃが提供されてコンバーター制御信号ＣＴＬ＿Ｃを生成する。例えば、コンバーター制御信号ＣＴＬ＿Ｃは、デジタルコードであり得る。コンバーター制御信号ＣＴＬ＿Ｃは、第１及び第２のコンバーター１２１０、１２２０の第１及び第２の電圧ＶＣ１、ＶＣ２のレベルを調節する。コンバーターコントローラー１３３０は、生成したコンバーター制御信号ＣＴＬ＿Ｃを第１及び第２のコンバーター１２１０、１２２０に提供する。
【００４５】
スイッチネットワークコントローラー１３４０は、電力コントローラー１３２０からスイッチ連結情報ＤＡＴ＿Ｓが提供されてスイッチ制御信号ＣＴＬ＿Ｓを生成する。例えば、スイッチ制御信号ＣＴＬ＿Ｓは、デジタルコードであり得る。スイッチ制御信号ＣＴＬ＿Ｓは、スイッチネットワーク１２３０を構成する第１ないし第４のスイッチ部１２３１〜１２３４を制御する。スイッチネットワークコントローラー１３４０は、生成したスイッチ制御信号ＣＴＬ＿Ｓをスイッチネットワーク１２３０に提供する。
【００４６】
図８は、図２に示されたステップＳ１００を詳細に示す順序図である。図８の順序図は、図１、図５、及び図７を参照して説明される。図８を参照すれば、電力コントローラー１３２０は、コンバーター電圧情報ＤＡＴ＿Ｃとスイッチ連結情報ＤＡＴ＿Ｓを生成することができる。
【００４７】
ステップＳ１１０において、電力コントローラー１３２０は、電力伝達ネットワーク１２００を構成する第１及び第２のコンバーター１２１０、１２２０と、複数のサブパネル１１１０〜１１４０を再グループ化する。先ず、電力コントローラー１３２０は、ＤＶＳコントローラー１３１０からＤＶＳ電圧情報Ｖ＿ＤＶＳが提供される。ＤＶＳ電圧情報Ｖ＿ＤＶＳは、複数のサブパネル１１１０〜１１４０のそれぞれに供給すべき電圧情報を含む。電力コントローラー１３２０は、ＤＶＳ電圧情報Ｖ＿ＤＶＳの電圧情報に基づいて第１及び第２のコンバーター１２１０、１２２０の第１及び第２の電圧ＶＣ１、ＶＣ２を決定する。図１の実施例によれば、電力伝達ネットワーク１２００は、第１及び第２のコンバーター１２１０、１２２０を含む。従って、複数のサブパネル１１１０〜１１４０は、２つのグループに分ける。これは、第１及び第２のコンバーター１２１０、１２２０は、それぞれ１つの電圧だけを供給することができるからである。２つのグループに分ける組み合わせの数は複数であり得る。
【００４８】
グループ化されたサブパネル１１１０〜１１４０の組み合わせにより、第１及び第２の電圧ＶＣ１、ＶＣ２のレベルが変わることができる。例えば、複数のサブパネル１１１０〜１１４０の要求電圧がそれぞれ１０Ｖ、１３Ｖ、１２Ｖ、８Ｖである場合を仮定する。第１のグループは、１０Ｖ、８Ｖを要求するサブパネル１１１０、１１４０で構成され、第２のグループは、１３Ｖ、１２Ｖを要求するサブパネル１１２０、１１３０で構成されることができる。この場合、第１のコンバーター１２１０は、第１のグループの要求電圧を全て満たす１０Ｖを供給し、第２のコンバーター１２２０は、第２のグループの要求電圧を全て満たす１３Ｖを供給することができる。これは、例示的なもので、グループ化方法によって多様な組み合わせが発生することができる。
【００４９】
従って、サブパネル１１１０〜１１４０のグループの組み合わせ、ならびに、第１及び第２の電圧ＶＣ１、ＶＣ２レベルによって電力供給ネットワーク１２００が再構成されることができる複数の組み合わせが生成される。続いて、電力コントローラー１３２０は、ステップＳ１１０〜Ｓ１６０を通過するように複数の組み合わせを順番にシミュレーションする。以後のステップＳ１１０〜Ｓ１６０においては、ステップＳ１１０で定められた組み合わせに基づいて判断する。
【００５０】
上述したように、第１及び第２のコンバーター１２１０、１２２０は、２つ以上の複数であり得るし、この場合、グループ化される組み合わせは、第１及び第２のコンバーター１２１０、１２２０の数ほど増加する。例えば、コンバーターの数が３つの場合、複数のサブパネル１１１０〜１１４０は、３つのグループにグループ化される。
【００５１】
ステップＳ１２０において、電力コントローラー１３２０は、ステップＳ１１０で定められたグループの組み合わせで電力伝達ネットワーク１２００を構成する場合に、スイッチ回路のドライビング（Ｄｒｉｖｉｎｇ）電流量がスイッチ回路の許容電流量の範囲内であるかを判断する。上述したスイッチ回路は、図５に示された第１〜第４のスイッチ部１２３１〜１２３４それぞれの第１〜第４のスイッチ回路ＳＷ１〜ＳＷ４である。電力コントローラー１３２０は、スイッチモニター１２５０からスイッチモニタリング信号ＭＯＮ＿Ｓが提供されて、スイッチ回路の特性を予測することができる。電力コントローラー１３２０は、提供されたスイッチモニタリング信号ＭＯＮ＿Ｓに基づいてステップＳ１２０の判断を進行する。ドライビング電流量がスイッチ回路の許容電流量を超える場合（Ｎｏ方向）、電力コントローラー１３２０は、ステップＳ１１０を再び進行する。一方、ドライビング電流量がスイッチ回路の許容電流量の範囲内である場合（Ｙｅｓ方向）、電力コントローラー１３２０の手順は、ステップＳ１３０に進行する。
【００５２】
ステップＳ１３０において、電力コントローラー１３２０は、スイッチネットワーク１２３０を再構成するのにかかる時間が、スイッチ回路それぞれのオン・オフ時間より短いかどうか判断する。上述したスイッチ回路は、図５に示された第１ないし第４のスイッチ部１２３１〜１２３４の第１ないし第４のスイッチ回路ＳＷ１〜ＳＷ４である。上述したように、電力コントローラー１３２０は、スイッチモニタリング信号ＭＯＮ＿Ｓに基づいてスイッチネットワーク１２３０の再構成時間及びスイッチ回路のオン・オフ特性を予測することができる。スイッチネットワーク１２３０の再構成時間がスイッチ回路のオン・オフ時間より短い場合（Ｎｏ方向）、電力コントローラー１３２０は、ステップＳ１１０を再び進行する。一方、スイッチネットワーク１２３０の再構成時間がスイッチ回路のオン・オフ時間より長い場合（Ｙｅｓ方向）、電力コントローラー１３２０の手順は、ステップＳ１４０に進行する。
【００５３】
ステップＳ１４０において 、電力コントローラー１３２０は、複数のサブパネルに１１１０〜１１４０それぞれの内部に歪み（Ｄｉｓｔｏｒｔｉｏｎ）現象がないかを判断する。歪み現象は、ディスプレイパネル１１００内のいずれか１つの部位に供給される電圧がＩＲドロップ（Ｄｒｏｐ）によって動作電圧より低くなる場合に発生する。電力コントローラ１３２０は、スイッチモニタリング信号ＭＯＮ＿Ｓから実際の複数のサブパネル１１１０〜１１４０に提供される電流量及び供給電圧Ｖ１〜Ｖ４をモニタリングして、歪み現象の有無を判断することができる。複数のサブパネル１１１０〜１１４０のうち、少なくとも１つに歪み現象が現れる場合（Ｎｏ方向）、電力コントローラー １３２０は、ステップＳ１１０を再び進行する。一方、複数のサブパネル１１１０〜１１４０内に歪曲現象がない場合（Ｙｅｓ方向）、電力コントローラー１３２０の手順は、ステップＳ１５０に進行する。
【００５４】
ステップＳ１５０において、電力コントローラー１３２０は、第１及び第２のコンバーター１２１０、１２２０の電圧ドループ（Ｖｏｌｔａｇｅ Ｄｒｏｏｐ）がないかを判断する。電圧ドループとは、電子装置がロード（Ｌｏａｄ）を駆動するときに発生する電子装置内のロス（Ｌｏｓｓ）により、出力電圧のレベルが低下する現象をいう。電力コントローラー１３２０は、コンバーターモニタリング信号ＭＯＮ＿Ｃから第１及び第２のコンバーター１２１０、１２２０の供給電圧及び電流量の情報が提供されて、電圧ドループの可否を判断することができる。第１及び第２のコンバーター１２１０、１２２０のうち、少なくとも１つに電圧ドループがある場合（Ｎｏ方向）、電力コントローラー１３２０はステップＳ１１０を再び進行する。一方、第１及び第２のコンバーター１２１０、１２２０に電圧ドループがない場合（Ｙｅｓ方向）、電力コントローラー１３２０の手順は、ステップＳ１６０に進行する。
【００５５】
ステップＳ１６０において、電力コントローラー１３２０は、第１及び第２のコンバーター１２１０、１２２０の供給電流量が許容電流量内であるかを判断する。電力コントローラー１３２０は、コンバーターモニタリング信号ＭＯＮ＿Ｃとスイッチモニタリング信号ＭＯＮ＿Ｓから第１及び第２のコンバーター１２１０、１２２０の供給電圧、及び連結されたサブパネル１１１０〜１１４０の情報が提供される。提供された情報に基づいて電力コントローラー１３２０は、第１及び第２のコンバーター１２１０、１２２０のうち、少なくとも１つの供給電流量が第１及び第２のコンバーター１２１０、１２２０の許容電流量内であるかを判断する。第１及び第２のコンバーター１２１０、１２２０のうち、少なくとも１つの供給電流量が許容電流量を超える場合（Ｎｏ方向）、電力コントローラー１３２０は、ステップＳ１１０を再び進行する。一方、第１及び第２のコンバーター１２１０、１２２０の供給電流量が許容電流量の範囲内である場合（Ｙｅｓ方向）、電力コントローラー１３２０の手順は、ステップＳ１７０に進行する。
【００５６】
ステップＳ１７０において、電力コントローラー１３２０は、コンバーター電圧情報ＤＡＴ＿Ｃとスイッチ連結情報ＤＡＴ＿Ｓを生成する。電力コントローラー１３２０は、上述したステップＳ１２０〜Ｓ１７０を通過した電力伝達ネットワーク１２００のグループ化の組み合わせに基づいて、第１及び第２の電圧ＶＣ１、ＶＣ２のレベルとスイッチネットワーク１２３０の連結情報を生成する。
【００５７】
図２に上述したように、ステップＳ１１０〜Ｓ１７０の実行時間が第１の基準時間を超える場合、電力コントローラー１３２０は、生成されたコンバーター電圧情報ＤＡＴ＿Ｃとスイッチ連結情報ＤＡＴ＿Ｓをコンバーターコントローラー１３３０とスイッチネットワークコントローラー１３４０に提供する。一方、実行時間が第１の基準時間より短い場合、電力コントローラー１３２０は、ステップＳ３００を実行する。
【００５８】
図８は、ステップＳ１２０〜Ｓ１６０が順序通りに進行されるものと示された。但し、これは例示的なものであり、電力コントローラー１３２０は、順序に関係なく、上述したステップＳ１２０〜Ｓ１６０を判断することができる。
【００５９】
図９は、図２に示されたステップＳ３００を詳細に示す順序図である。図９の順序図は、図１、図５、及び図７を参照して説明する。図９を参照すれば、電力コントローラー１３２０は、サイズ調節信号ＵＰＤＮを生成することができる。
【００６０】
サイズ調節信号ＵＰＤＮを生成する理由は、次の通りである。ステップＳ１００で電力コントローラー１３２０は、既存に定められたウィンドウサイズに対し、次のウィンドウに対する再構成情報を生成する。但し、ウィンドウに含まれたフレームのイメージデータによって、既存に定められたウィンドウサイズがステップＳ１１０〜Ｓ１７０を実行するに適合し得ない。この場合、電力コントローラー１３２０は、サイズ調節信号ＵＰＤＮを生成してウィンドウサイズを調節する。例えば、フレームのイメージ変化が殆どない場合を仮定する。この場合、電力コントローラー１３２０によって処理されるべきデータの量が減少する。従って、電力コントローラー１３２０は、ウィンドウサイズを大きくして加工するフレーム数を増加させることができる。一方、フレームのイメージ変化が多い場合を仮定する。この場合、電力コントローラー１３２０によって処理されるべきデータの量が増加する。従って、電力コントローラー１３２０は、ウィンドウサイズを大きくして処理するフレーム数を減らす。
【００６１】
ステップＳ３１０において、電力コントローラー１３２０は、ステップＳ１００の実行時間が第２の基準時間より短いか否かを判断する。例えば、第２の基準時間は、以前のウィンドウに対するステップＳ１００の実行時間であり得る。つまり、以前のステップＳ１００の実行時間を基準にウィンドウサイズが適するか否かを判断することができる。但し、これは例示的なものであり、第２の基準時間は、これに限定されない。或いは、第２の基準時間は、ディスプレイ装置のブーテイング時に決定することができる。ステップＳ１００の実行時間が第２の基準時間より長い場合（Ｎｏ方向）、電力コントローラー１３２０は、サイズ調節信号ＵＰＤＮをロジック「０」に決定する（Ｓ３４０）。一方、ステップＳ１００の実行時間が第２の基準時間より短い場合（Ｙｅｓ方向）、電力コントローラー１３２０の手順は、ステップＳ３２０に進行する。
【００６２】
ステップＳ３２０において、電力コントローラー１３２０は、時間区間Ｂが第３の基準時間より短いか否かを判断する。上述したように、時間区間Ｂは、電力伝達ネットワーク１２００の再構成時間である。例えば、第３の基準時間は、以前のウィンドウに対する電力伝達ネットワーク１２００の再構成時間であり得る。或いは、第３の基準時間は、ディスプレイ装置のブーテイング時に決定することができる。他の例として、第３の基準時間は、外部制御信号によって決定されることができる。時間区間Ｂが第３の基準時間より長い場合（Ｎｏ方向）、電力コントローラー１３２０は、サイズ調節信号ＵＰＤＮをロジック「０」に決定する（Ｓ３４０）。一方、時間区間Ｂが第３の基準時間より短い場合（Ｙｅｓ方向）、電力コントローラー１３２０は、サイズ調節信号ＵＰＤＮをロジック「１」に決定する（Ｓ３３０）。
【００６３】
ステップＳ３１０及びＳ３２０により電力コントローラー１３２０は、現在のウィンドウサイズがデータ処理に適したサイズであるか否かを判断することができる。図９では、ステップＳ３１０〜Ｓ３２０が順序通りに進行されることで示された。但し、これは例示的なものであり、電力コントローラー１３２０は、順序に関係なく、上述したステップＳ３１０、Ｓ３２０を判断することができる。
【００６４】
ステップＳ３５０において、電力コントローラー１３２０は、時間区間Ｃ及び時間区間Ｄの合計が時間区間Ａより短いか否かを判断する。ステップＳ３１０〜Ｓ３４０によってサイズ調節信号ＵＰＤＮが決定されると、電力コントローラー１３２０は、Ｓ１００、Ｓ３００の実行時間を基準にステップＳ１００を再び実行するか否かを判断する。上述したように、時間区間Ｃは、ステップＳ１００の実行時間であり、時間区間Ｄは、ステップＳ３００の実行時間である。なお、時間区間Ａは、以前のプロセスによって決定されたウィンドウが現在のディスプレイされる時間である。これを判断する理由は、Ｓ３００の実行中に時間区間Ａを通る場合に、次のウィンドウのフレームがディスプレイされなければならないので、ステップＳ１００を再実行する必要がなくなるからである。
【００６５】
時間区間Ｃ及び時間区間Ｄの合計が時間区間Ａより長い場合（Ｎｏ方向）、電力コントローラー１３２０の手順は終了する。以後、電力コントローラー１３２０は、ステップＳ１００で定められたコンバーター電圧情報ＤＡＴ＿Ｃとスイッチの連結情報ＤＡＴ＿Ｓをコンバータコントローラ１３３０とスイッチネットワークコントローラー１３４０に提供する。一方、時間区間Ｃ及び時間区間Ｄの合計が、時間区間Ａより短い場合（Ｙｅｓ方向）、電力コントローラー１３２０の手順はＳ３６０に進行する。
【００６６】
ステップＳ３６０において、電力コントローラー１３２０は、決定されたサイズ調節信号ＵＰＤＮを出力する。電力コントローラー１３２０は、サイズ調節信号ＵＰＤＮをイメージコントローラー１４００に提供する。
【００６７】
ステップＳ３７０において、電力コントローラー１３２０はステップＳ１００の再実行を命令する。但し、電力コントローラー１３２０は、再実行命令によってステップＳ１００の再実行の途中で時間区間Ａを通る場合、ステップＳ１００の手順は終了する。これは、上述したように、これ以上ステップＳ１００を再実行する理由がなくなるからである。
【００６８】
例えば、電力コントローラー１３２０は、ステップＳ１００〜Ｓ３００の実行中に時間区間Ａを通るか否かを実時間で判断することができる。つまり、電力コントローラー１３２０は、上述したフローチャートのタイミングによってのみ判断せず、実時間でプロセスを進行するか否かを判断する。電力コントローラー１３２０は、手順をこれ以上進行する必要がない場合に手順を中断し、中断前に決定された結果により、電力伝達ネットワーク１２００を再構成することができる。
【００６９】
図１０は、図１に示されたイメージコントローラーを例示的に示すブロック図である。図１０は、図１を参照して説明されるであろう。図１０を参照すれば、イメージコントローラー１４００は、イメージバッファー1４１０、イメージ分析器1４２０、メモリー1４３０、ウィンドウサイズコントローラー１４４０、及びデータ生成器１４５０を含むことができる。イメージコントローラー１４００は、ウィンドウサイズＳＩＺＥ＿Ｗによって決定されるフレームを１つのイメージに統合して、統合イメージデータＤＡＴ＿Ｕを生成する。上述したイメージバッファー１４１０、イメージ分析器1４２０、メモリ１４３０、ウィンドウサイズコントローラー１４４０、及びデータ生成器１４５０は、ハードウェアで具現されうる。
【００７０】
イメージバッファ１４１０は、複数のバッファ１４１１〜１４１４を含むことができる。イメージバッファー１４１０は、フレームイメージデータＤＡＴ＿Ｉが提供されて貯蔵する。現在ディスプレイされるフレームのフレームイメージデータＤＡＴ＿Ｉは最後のバッファー１４１１に貯蔵されている。次のフレームのフレームイメージデータＤＡＴ＿Ｉは、次のバッファ１４１２に貯蔵される。最近のフレームイメージデータＤＡＴ＿Ｉは、一番目のバッファ１４１４に貯蔵される。つまり、フレームイメージデータＤＡＴ＿Ｉは、入力順に順次的に貯蔵される。イメージバッファー１４１０は、バッファデータＤＡＴ＿ＢＩをデータ生成器１４５０に提供する。
【００７１】
イメージ分析器１４２０は、イメージバッファー１４１０からバッファ１４１１〜１４１４に貯蔵されたフレームイメージデータＤＡＴ＿Ｉが提供されて、これを分析する。例えば、イメージ分析器１４２０は、連続したフレームのフレームイメージデータＤＡＴ＿Ｉの間に同じ部分が連続的にあるか否かを分析する。或いは、イメージ分析器１４２０は、フレームそれぞれのフレームイメージデータＤＡＴ＿Ｉがディスプレイされる場合、イメージの歪みに対し、敏感できる部分があるか否かを分析する。これは、フレームのイメージの種類により、イメージ歪みの程度が異なるように見られる場合があるからである。イメージ分析器１４２０は、分析結果をメモリー１４３０とウィンドウサイズコントローラー１４４０に提供する。分析結果をメモリー１４３０に結果を貯蔵する理由は、データ生成器１４５０がイメージ分析作業を重複してしないようにするためである。
【００７２】
ウィンドウサイズコントローラー１４４０は、ＰＤＮコントローラー１３００とイメージ分析器１４２０からサイズ調節信号ＵＰＤＮと分析情報が提供されてウィンドウサイズＳＩＺＥ＿Ｗを調節し、ウィンドウサイズＳＩＺＥ＿Ｗをイメージバッファー１４１０に提供する。上述したように、ウィンドウサイズＳＩＺＥ＿Ｗは、再構成情報を生成するのに利用されるフレームの数で定義される。
【００７３】
データ生成器１４５０は、イメージバッファー１４１０からバッファーデータＤＡＴ＿ＢＩが提供される。バッファデータＤＡＴ＿ＢＩは、ウィンドウサイズＳＩＺＥ＿Ｗによって定められた数のフレームに対するフレームイメージデータＤＡＴ＿Ｉである。なお、データ生成器１４５０は、メモリ１４３０からイメージ分析情報が提供される。データ生成器１４５０は、提供されたバッファーデータＤＡＴ＿ＢＩを１つのイメージに統合して統合イメージデータＤＡＴ＿Ｕを生成する。データ生成器１４５０は、分析情報を利用してイメージ分析器１４２０と重複された作業を省略する。生成された統合イメージデータＤＡＴ＿Ｕはディスプレイされない。統合イメージデータＤＡＴ＿Ｕは、再構成情報の生成のために使用される。
【００７４】
図１１及び図１２は、本発明の他の実施例によるディスプレイ装置を示すブロック図である。
【００７５】
図１１を参照すれば、ディスプレイ装置２０００は、ディスプレイパネル２１００、電力伝達ネットワーク２２００、ＰＤＮコントローラー２３００、及びイメージコントローラー２４００を含むことができる。図１１のディスプレイパネル２１００は、複数のサブパネル２１１０〜２１５０を含むことができる。なお、電力伝達ネットワーク２２００は、第１ないし第Ｎのコンバーター２２１０〜２２３０を含むことができる。つまり、図１で上述したように、ディスプレイ装置２０００は、複数のサブパネル２１１０〜２１５０と複数のコンバーター２２１０〜２２３０を含むように拡張されることができる。上述した点を除いて、図１１のディスプレイ装置２０００は、図１のディスプレイ装置１０００と動作及び構成が同一である。よって、これに対する詳細な説明は省略する。
【００７６】
図１２を参照すれば、ディスプレイ装置３０００は、ディスプレイパネル３１００、電力伝達ネットワーク３２００、ＰＤＮコントローラー３３００、及びイメージコントローラー３４００を含むことができる。図１２のサブパネル３１１０〜３１６０は、第１及び第２のグループに区分されることができる。電力伝達ネットワーク３２００は、第１ないし第Ｎのコンバーター３２１０〜３２４０と、第１及び第２のスイッチネットワーク３２５０、３２６０とを含むことができる。第１ないし第Ｎのコンバーター３２１０〜３２４０は、第１及び第２のグループに区分されることができる。上述した点を除いて、図１２のディスプレイ装置３０００は、図１１のディスプレイ装置２０００と動作及び構成が同一である。よって、これに対する詳細な説明は省略する。
【００７７】
第１のスイッチネットワーク３２５０は、第１のグループに属する第１及び第２のコンバーター３２１０、３２２０と、第１のグループに属する複数のサブパネル３１１０〜３１４０を連結する。第２のスイッチネットワーク３２６０は、第２のグループに属する第３ないし第Ｎのコンバーター３２３０、３２４０と、第２のグループに属する複数のサブパネル３１５０〜３１６０を連結する。即ち、第１のグループに属する第１及び第２のコンバーター３２１０、３２２０は、第１のグループに属するサブパネル３１１０〜３１４０にのみ電圧を供給する。なお、第２のグループに属する第３ないし第Ｎのコンバーター３２３０、３２４０は、第２のグループに属するサブパネル３１５０〜３１６０にのみ電圧を供給する。ここで、第１及び第２のグループに属するコンバーター３２１０〜３２４０と、複数のサブパネル３１１０〜３１６０の数は、図１２に示されたものに限定されない。なお、グループの数は、図１２に示されたものに限定されず、２つ以上の複数であり得る。
【００７８】
図１２のディスプレイ装置３０００は、スイッチネットワークを第１及び第２のスイッチネットワーク３２５０、３２６０に区分して、スイッチネットワークの連結を単純化することができる。なお、スイッチネットワークの再構成の組み合わせが減り、ステップＳ１００ないしＳ４００のデータ処理量が減少することができる。結果的に、ＰＤＮコントローラー１３００によるデータ処理速度が向上されることができる。
【００７９】
以上のように、図面と明細書において最適の実施例が開示された。ここで、特定の用語が使用されたが、これは、単に本発明を説明するための目的で使用されたものであり、意味の限定や特許請求の範囲に記載された本発明の範囲を制限するために使用されたものではない。そのため、本技術分野における通常の知識を有する者であれば、これによって様々な変形及び均等な他の実施例が可能であるという点を理解できるはずである。従って、本発明の真の技術的保護範囲は添付された特許請求の範囲の技術的思想に基づいて定められなければならない。
【産業上の利用可能性】
【００８０】
本発明は、ディスプレイ装置に関し、再構成可能な電力伝達ネットワークを制御するためのＰＤＮコントローラーを含むディスプレイ装置を提供し、これを利用したディスプレイ電力管理方法を提供することができる。
【符号の説明】
【００８１】
１０００, ２０００, ３０００  ディスプレイ装置
１１００, １１００ａ, １１００ｂ, ２１００, ３１００  ディスプレイパネル
１１１０, １１２０, １１３０, １１４０, ２１１０, ２１２０, ２１３０, ２１４０, ２１５０, ３１１０, ３１２０, ３１３０,３１４０, ３１５０, ３１６０    サブパネル
１２００, ２２００, ３２００  電力伝達ネットワーク
１２１０, ２２１０, ３２１０  第１のコンバーター
１２２０, ２２２０, ３２２０  第２のコンバーター
３２３０  第３のコンバーター
２２３０, ３２４０  第Ｎのコンバーター
１２３０, ２２４０  スイッチネットワーク
３２５０  第１のスイッチネットワーク
３２６０  第２のスイッチネットワーク
１２３１  第１のスイッチ部
１２３２  第２のスイッチ部
１２３３  第３のスイッチ部
１２３４  第４のスイッチ部
１２４０  コンバーターモニター
１２５０  スイッチモニター
１３００, ２３００, ３３００  ＰＤＮコントローラー
１３１０  ＤＶＳコントローラー
１３２０  電力コントローラー
１３３０  コンバーターコントローラー
１３４０  スイッチネットワークコントローラー
１４００, ２４００, ３４００  イメージコントローラー
１４１０  イメージバッファー
１４１１, １４１２, １４１３, １４１４  バッファー
１４２０  イメージ分析器
１４３０  メモリー
１４４０  ウィンドウサイズコントローラー
１４５０  データ生成器
【図１】
2019510249.tif 000003
【図２】
2019510249.tif 000004
【図３】
2019510249.tif 000005
【図４】
2019510249.tif 000006
【図５】
2019510249.tif 000007
【図６】
2019510249.tif 000008
【図７】
2019510249.tif 000009
【図８】
2019510249.tif 000010
【図９】
2019510249.tif 000011
【図１０】
2019510249.tif 000012
【図１１】
2019510249.tif 000013
【図１２】
2019510249.tif 000014
【国際調査報告】
2019510249.tif 000015
2019510249.tif 000016
2019510249.tif 000017
2019510249.tif 000018